(57)【要約】【課題】冷蔵庫に収納する野菜等の収納物について、適度な保鮮性を保つことができる冷蔵庫を提供する。【解決手段】冷蔵室１１０と、冷蔵室１１０に配置され、容器本体の開口を密閉可能とする蓋を有する第１保鮮容器１ａと、第１保鮮容器１ａと着脱可能に係合し、第１保鮮容器１ａの冷蔵室１１０における水平方向の位置を決定する第１位置決定部１５０ａとを備える。【選択図】図５Ａ
2011179726.tif 000002
【特許請求の範囲】
【請求項１】
冷蔵室を内方に形成する主箱体と、
前記冷蔵室に配置され、容器本体の開口を密閉可能とする蓋を有する第１保鮮容器と、
前記第１保鮮容器と着脱可能に係合し、前記第１保鮮容器の前記冷蔵室における水平方向の位置を決定する位置決定部と
を備える
冷蔵庫。
【請求項２】
前記位置決定部は、前記冷蔵室の底面に設けられた突出部であり、
前記突出部は、前記冷蔵室の奥側方向に延び、かつ、上方に突出する
請求項１に記載の冷蔵庫。
【請求項３】
さらに、容器本体の開口を密閉可能とする蓋を有する第２保鮮容器を備え、
前記第２保鮮容器は、前記第１保鮮容器の側方に配置される
請求項１又は請求項２に記載の冷蔵庫。
【請求項４】
前記第１保鮮容器の水平方向寸法と前記第２保鮮容器の水平方向寸法とは異なる
請求項３に記載の冷蔵庫。
【請求項５】
前記第１保鮮容器は、当該第１保鮮容器における前記容器本体の手前側に設けられた把手部を備え、
当該把手部は、下方に開放された開口を有する
請求項１〜請求項４のいずれか１項に記載の冷蔵庫。
【請求項６】
前記第１保鮮容器は、さらに、
前記蓋に設けられ、前記容器本体の内方に連通する孔と、
前記孔を密閉可能に開閉する第２蓋と
を備える
請求項１〜請求項５のいずれか１項に記載の冷蔵庫。
【発明の詳細な説明】
【技術分野】
【０００１】
本発明は、冷蔵庫に関し、特に、保鮮容器を載置する冷蔵室を備えた冷蔵庫に関する。
【背景技術】
【０００２】
従来から、冷蔵室を備えた冷蔵庫が知られている（例えば、特許文献１参照）。図１０は、従来の冷蔵庫を模式的に表した冷蔵庫の正面図である。
【０００３】
図１０に示すように、従来の冷蔵庫１０００は、上段、中段及び下段の３つに区画された貯蔵室を備える。上段の貯蔵室は冷蔵室１１００であり、中段の貯蔵室は野菜室１２００であり、下段の貯蔵室は冷凍室１３００である。なお、図において、矩形の破線がそれぞれの貯蔵室の前面開口部を表している。
【０００４】
従来の冷蔵庫１０００の野菜室１２００には、上方に開放された１つの開口を有する引き出し式の収納容器が収納されている。野菜室１２００には、前面開口部を覆う扉１２１０が設けられている。この扉１２１０を手前側に引き出したり奥側に押し込んだりすることにより、これに連動して収納容器も手前側に引き出されたり奥側に押し込まれたりする。このように収納容器を動かすことにより、収納容器に野菜を収納したり収納容器から野菜を取り出したりすることができる。
【先行技術文献】
【特許文献】
【０００５】
【特許文献１】特開２００６−３２９６１４号公報
【発明の概要】
【発明が解決しようとする課題】
【０００６】
しかしながら、従来の冷蔵庫においては、野菜室の収納容器は１つの開口を有するものであるので、野菜を収納したり取り出したりする際に、野菜室内の水分が一度に排出されて野菜が乾燥してしまうという問題がある。逆に、野菜室を長時間開けなかった場合は、野菜自身から出る水分等による野菜室内の水分によって青果物が腐ってしまうという問題もある。
【０００７】
このように、従来の冷蔵庫では、野菜室に収納された野菜について、適度な保鮮性を保つことができないという問題がある。
【０００８】
本発明は、上記問題を解決するためになされたものであり、冷蔵庫に収納する野菜等の収納物について、適度な保鮮性を保つことができる冷蔵庫を提供することを目的とする。
【課題を解決するための手段】
【０００９】
上記問題を解決するために、本発明に係る冷蔵庫の一態様は、冷蔵室を内方に形成する主箱体と、前記冷蔵室に配置され、容器本体の開口を密閉可能とする蓋を有する第１保鮮容器と、前記第１保鮮容器と着脱可能に係合し、前記第１保鮮容器の前記冷蔵室における水平方向の位置を決定する位置決定部とを備える。
【００１０】
このように、密閉可能な第１保鮮容器を冷蔵室に配置することにより、第１保鮮容器に収納する青果物等について適度な保鮮性を保つことができる。また、位置決定部によって第１保鮮容器の冷蔵室における水平方向の位置が決定されるので、第１保鮮容器を冷蔵室に容易に収納することができる。また、第１保鮮容器は着脱可能であるので、冷蔵庫の使用者にとって利便性が高まる。
【００１１】
さらに、本発明に係る冷蔵庫の一態様において、前記位置決定部は、前記冷蔵室の底面に設けられた突出部であり、前記突出部は、前記冷蔵室の奥側方向に延び、かつ、上方に突出することが好ましい。
【００１２】
これにより、第１保鮮容器は、突出部によって水平方向の位置が矯正されながら収納されるので、第１保鮮容器を冷蔵室内の所定の位置に容易に収納することができる。
【００１３】
さらに、本発明に係る冷蔵庫の一態様において、容器本体の開口を密閉可能とする蓋を有する第２保鮮容器を備え、前記第２保鮮容器は、前記第１保鮮容器の側方に配置されることが好ましい。
【００１４】
これにより、冷蔵室の扉が十分に開けられないような場合でも、第１保鮮容器又は第２保鮮容器を冷蔵室から取り出すことができるので、冷蔵室のスペースを有効に利用することができる。また、収納物の種類又は収納量に応じて、第１保鮮容器又は第２保鮮容器を適宜選択することもできる。
【００１５】
さらに、本発明に係る冷蔵庫の一態様において、前記第１保鮮容器の水平方向寸法と前記第２保鮮容器の水平方向寸法とは異なることが好ましい。
【００１６】
これにより、冷蔵庫の使用者としては、収納物の種類又は収納量に応じて、水平方向寸法の異なる第１保鮮容器又は第２保鮮容器を選択適宜することができる。また、製造メーカーとしては、水平方向寸法の異なる複数の保鮮容器を用意することにより、冷蔵室の幅寸法が異なる複数の機種の冷蔵庫に対して、複数の保鮮容器を組み合わせて対応することができ、保鮮容器の標準化を図ることができる。
【００１７】
さらに、本発明に係る冷蔵庫の一態様において、前記第１保鮮容器は、当該第１保鮮容器における前記容器本体の手前側に設けられた把手部を備え、当該把手部は、下方に開放された開口を有することが好ましい。
【００１８】
これにより、下方から開口に手を差し込むことができるので、冷蔵室から第１保鮮容器を引き出す際、手によって第１保鮮容器を下方から支えることができる。従って、第１保鮮容器の引き出し過ぎによって第１保鮮容器が冷蔵室から飛び出して勢いよく落下してしまうことを抑制することができる。
【００１９】
さらに、本発明に係る冷蔵庫の一態様において、前記第１保鮮容器は、前記蓋に設けられ、前記容器本体の内方に連通する孔と、前記孔を密閉可能に開閉する第２蓋とを備えるとことが好ましい。
【００２０】
これにより、孔を介して第１保鮮容器内に生じた水分を第１保鮮容器外に排出することができるので、第１保鮮容器に収納された青果物が腐ることを抑制することができる。また、孔を介して第１保鮮容器内外の気体を通すことができるので、第１保鮮容器内に結露が生じることを抑制することもできる。さらに、孔を介して第１保鮮容器外から二酸化炭素を取り入れることもできるので、青果物の鮮度を保ち青果物の長期貯蔵を可能とすることもできる。
【発明の効果】
【００２１】
本発明に係る冷蔵庫によれば、収納する野菜等の収納物について、適度な保鮮性を保つことができる。
【図面の簡単な説明】
【００２２】
【図１】図１は、本発明の実施形態１に係る冷蔵庫を模式的に表した冷蔵庫の正面図である。
【図２】図２は、本発明の実施形態１に係る冷蔵庫における冷蔵室を模式的に表した冷蔵室の正面図である。
【図３Ａ】図３Ａは、本発明の実施形態１に係る冷蔵庫の冷蔵室内を手前斜め上方から見た外観斜視図である。
【図３Ｂ】図３Ｂは、本発明の実施形態１に係る冷蔵庫の冷蔵室の平面図である。
【図３Ｃ】図３Ｃは、図３Ｂに示す冷蔵室をＸ−Ｘ’線に沿って切った断面図であって、本発明の実施形態１に係る冷蔵庫の冷蔵室を側方から見た断面図である。
【図４Ａ】図４Ａは、本発明の実施形態１に係る冷蔵庫の冷蔵室に載置される保鮮容器の概観斜視図である。
【図４Ｂ】図４Ｂは、図４Ａに示す本発明の実施形態１に係る冷蔵庫に関する保鮮容器において、蓋が開状態となったときの状態を示す保鮮容器の外観斜視図である。
【図４Ｃ】図４Ｃは、図４Ｂの破線で囲まれた領域Ａの拡大図であり、本発明の実施形態１に係る冷蔵庫に関する保鮮容器の要部拡大斜視図である。
【図５Ａ】図５Ａは、本発明の実施形態１に係る冷蔵庫において、冷蔵室に保鮮容器を収納したときの平面図である。
【図５Ｂ】図５Ｂは、図５Ａに示す冷蔵室をＹ−Ｙ’線に沿って切った断面図であって、本発明の実施形態１に係る冷蔵庫において、冷蔵室と保鮮容器とを側方から見た断面図である。
【図６Ａ】図６Ａは、本発明の実施形態２に係る冷蔵庫の冷蔵室に載置される保鮮容器の外観斜視図である。
【図６Ｂ】図６Ｂは、図６Ａに示す本発明の実施形態２に係る冷蔵庫の冷蔵室に載置される保鮮容器の分解斜視図である。
【図７】図７は、図６Ｂの破線で囲まれた領域Ｂの拡大図であり、本発明の実施形態２に係る冷蔵庫に関する保鮮容器における第１蓋の要部拡大斜視図である。
【図８Ａ】図８Ａは、本発明の実施形態２に係る冷蔵庫に関する保鮮容器における第２蓋を表側の斜め方向から見た外観斜視図である。
【図８Ｂ】図８Ｂは、本発明の実施形態２に係る冷蔵庫に関する保鮮容器における第２蓋を、裏側の斜め方向から見た外観斜視図である。
【図９Ａ】図９Ａは、第２蓋が閉じている状態を示した、本発明の実施形態２に係る冷蔵庫に関する保鮮容器の要部拡大断面図である。
【図９Ｂ】図９Ｂは、第２蓋が開いている状態を示した、本発明の実施形態２に係る冷蔵庫に関する保鮮容器の要部拡大断面図である。
【図１０】図１０は、従来の冷蔵庫を模式的に表した冷蔵庫の正面図である。
【発明を実施するための形態】
【００２３】
以下、本発明に係る冷蔵庫について、図面を参照しながら説明する。
【００２４】
（実施形態１）
まず、本発明の実施形態１に係る冷蔵庫について、図面を参照しながら説明する。
【００２５】
図１は、本発明の実施形態１に係る冷蔵庫を模式的に表した冷蔵庫の正面図である。
【００２６】
図１に示すように、本発明の実施形態１に係る冷蔵庫１００は、上段、中段及び下段の３つに区画された貯蔵室を備える。具体的には、上段の貯蔵室は冷蔵室１１０であり、中段の貯蔵室は野菜室１２０であり、下段の貯蔵室は冷凍室１３０である。各貯蔵室において、冷蔵室１１０の庫内温度は約２〜３℃であり、野菜室１２０の庫内温度は約２〜５℃であり、冷凍室１３０の庫内温度は約−１８〜−２０℃である。なお、図１において、矩形の破線がそれぞれの貯蔵室の前面開口部を表している。
【００２７】
主箱体の内方に形成される冷蔵室１１０には、前面開口部を覆うことにより冷蔵室１１０を密閉状態とする扉１１１が設けられている。扉１１１は、前面開口部の向かって右側の端部に設けられており、縦方向の回動軸を中心に回動することができる。これにより、扉１１１を左右方向に開閉することができる。また、扉１１１を開閉することによって、冷蔵室１１０に収納物を収納したり、冷蔵室１１０から収納物を取り出したりすることができる。
【００２８】
野菜室１２０及び冷凍室１３０には、上方に開放された開口を有する引き出し式の収納容器（ケース）がそれぞれ収納されている。また、野菜室１２０及び冷凍室１３０には、前面開口部を覆う扉１２１、１３１が設けられている。扉１２１、１３１を手前側に引き出したり奥側に押し込んだりすることにより、これに連動して収納容器も手前側に引き出されたり奥側に押し込まれたりする。このように収納容器を動かすことにより、収納容器に収納物を収納したり収納容器から収納物を取り出したりすることができる。
【００２９】
次に、本発明の実施形態１に係る冷蔵庫における冷蔵室について、図２を用いてさらに詳細に説明する。図２は、本発明の実施形態１に係る冷蔵庫における冷蔵室を模式的に表した冷蔵室の正面図である。なお、図２において、扉は図示していない。
【００３０】
図２に示すように、本実施形態に係る冷蔵庫１００の冷蔵室１１０は、上段側の第１貯蔵室１１２と下段側の第２貯蔵室１１３とを備えている。第１貯蔵室１１２と第２貯蔵室１１３との間にはトレイ１１４が設けられており、トレイ１１４によって冷蔵室１１０が第１貯蔵室１１２と第２貯蔵室１１３とに区分されている。なお、第１貯蔵室１１２においては、破線で示すように適宜必要個数のトレイを別途設けても構わない。
【００３１】
本実施形態において、第２貯蔵室１１３には、第１保鮮容器１ａと第２保鮮容器１ｂとが収納されている。第１保鮮容器１ａと第２保鮮容器１ｂとは、同じ大きさで同じ形状であり、互いに隣り合うようにして第２貯蔵室１１３の底面１１５に載置されている。すなわち、第２保鮮容器１ｂは、第１保鮮容器１ａの向かって右側の側方に位置するように載置されている。第１保鮮容器１ａと第２保鮮容器１ｂとは、第２貯蔵室１１３内のスペースを有効に活用できるような大きさとしており、本実施形態では、図２に示すように、２つの保鮮容器によって第２貯蔵室１１３の空間を埋めるように構成している。
【００３２】
第２貯蔵室１１３には、製氷用の給水タンクが収納されている。本実施形態において、給水タンクは、第２貯蔵室１１３の左壁に隣接するように載置されており、その右側には第１保鮮容器１ａが載置されている。
【００３３】
次に、本発明の実施形態１に係る冷蔵庫の冷蔵室について、図３Ａ〜図３Ｃを用いて詳述する。図３Ａは、本発明の実施形態１に係る冷蔵庫の冷蔵室（第２貯蔵室）内を手前斜め上方から見た外観斜視図である。図３Ｂは、本発明の実施形態１に係る冷蔵庫の冷蔵室（第２貯蔵室）の平面図である。図３Ｃは、図３Ｂに示す冷蔵室をＸ−Ｘ’線に沿って切った断面図であって、本発明の実施形態１に係る冷蔵庫の冷蔵室（第２貯蔵室）を側方から見た断面図である。
【００３４】
図３Ａに示すように、本発明の実施形態１に係る冷蔵庫１００における冷蔵室１１０は、第２貯蔵室１１３の底面１１５に、第１位置決定部１５０ａ及び第２位置決定部１５０ｂが設けられたものである。
【００３５】
第１保鮮容器１ａに対応する第１位置決定部１５０ａは、第１保鮮容器１ａと着脱可能に係合し、第１保鮮容器１ａの冷蔵室１１０における水平方向の位置を決定するものである。第１位置決定部１５０ａは、冷蔵室１１０の奥壁１１６側である奥側方向に延び、かつ、上方に突出する突出部によって構成されている。
【００３６】
より具体的には、図３Ａ〜図３Ｃに示すように、第１位置決定部１５０ａは、手前側に位置する左右一対の第１ガイド部１５１ａ、１５２ａと、奥側に位置する左右一対の第２ガイド部１５３ａ、１５４ａとからなる。
【００３７】
第１位置決定部１５０ａの第１ガイド部１５１ａ、１５２ａは、冷蔵室１１０の奥側方向に延び、かつ、冷蔵室１１０の奥壁１１６に対して所定の角度を有して延びる直線状の突出部で構成されている。第１ガイド部１５１ａ、１５２ａは、奥側に向かってお互いの間隔が徐々に広がるように構成されている。
【００３８】
第１位置決定部１５０ａの第２ガイド部１５３ａ、１５４ａは、冷蔵室１１０の奥側方向に延び、かつ、冷蔵室１１０の奥壁１１６に対して垂直に延びる直線状の突出部である。第２ガイド部１５３ａ、１５４ａは、お互いの間隔が同じとなるように略平行に構成されている。
【００３９】
次に、第２保鮮容器１ｂに対応する第２位置決定部１５０ｂについて説明する。本実施形態においては、第２位置決定部１５０ｂは第１位置決定部１５０ａと同様の形状をしている。
【００４０】
第２保鮮容器１ｂに対応する第２位置決定部１５０ｂは、第２保鮮容器１ｂと着脱可能に係合し、第２保鮮容器１ｂの冷蔵室１１０における水平方向の位置を決定するものである。第２位置決定部１５０ｂは、冷蔵室１１０の奥壁１１６側である奥側方向に延び、かつ、上方に突出する突出部によって構成されている。
【００４１】
より具体的には、図３Ａ〜図３Ｃに示すように、第２位置決定部１５０ｂは、手前側に位置する左右一対の第１ガイド部１５１ｂ、１５２ｂと、奥側に位置する左右一対の第２ガイド部１５３ｂ、１５４ｂとからなる。
【００４２】
第２位置決定部１５０ｂの第１ガイド部１５１ｂ、１５２ｂは、冷蔵室１１０の奥側方向に延び、かつ、冷蔵室１１０の奥壁１１６に対して所定の角度を有して延びる直線状の突出部で構成されている。第１ガイド部１５１ｂ、１５２ｂは、奥側に向かってお互いの間隔が徐々に広がるように構成されている。
【００４３】
第２位置決定部１５０ｂの第２ガイド部１５３ｂ、１５４ｂは、冷蔵室１１０の奥側方向に延び、かつ、冷蔵室１１０の奥壁１１６に対して垂直に延びる直線状の突出部である。第２ガイド部１５３ｂ、１５４ｂは、お互いの間隔が同じとなるように略平行に構成されている。
【００４４】
次に、本発明の実施形態１に係る冷蔵庫の冷蔵室に載置される保鮮容器について、図４Ａ〜図４Ｃを用いて説明する。図４Ａは、本発明の実施形態１に係る冷蔵庫の冷蔵室に載置される保鮮容器の概観斜視図である。図４Ｂは、図４Ａに示す本実施形態に係る保鮮容器において、蓋が開状態となったときの状態を示す保鮮容器の外観斜視図である。図４Ｃは、図４Ｂの破線で囲まれた領域Ａの拡大図であり、本実施形態に係る保鮮容器の要部拡大斜視図である。なお、本実施形態では、第１保鮮容器１ａと第２保鮮容器１ｂとは同じものである。従って、以下、第１保鮮容器１ａについて説明する。
【００４５】
図４Ａに示すように、本実施形態に係る第１保鮮容器１ａは、野菜又は果物等の青果物を保鮮するための保鮮容器であって、容器本体２ａと蓋３ａとを備える。容器本体２ａは、青果物の収納物を収納するための樹脂成形容器である。蓋３ａは、容器本体２ａの開口２１ａを密閉可能とするものである。
【００４６】
蓋３ａの一方側端には、止め部材５ａが取り付けられている。容器本体２ａの手前側には引っ掛け部２３ａが設けられている。止め部材５ａを引っ掛け部２３ａに係合させることにより容器本体２ａと蓋３ａとがロックされた状態で密閉される。また、蓋３ａの止め部材５ａが設けられた側には、容器本体２ａを掴むための把手部２４ａが設けられている。把手部２４ａは、第１保鮮容器１ａを第２貯蔵室１１３から引き出す際に使用される。
【００４７】
なお、本実施形態では、第１保鮮容器１ａの中心に対して把手部２４ａが設けられた位置の方向を第１保鮮容器１ａの手前側と称し、第１保鮮容器１ａの中心に対して手前側とは反対側の方向を第１保鮮容器１ａの奥側と称する。また、第１保鮮容器１ａにおいて奥側と手前側を結ぶ直線方向を縦方向とし、縦方向と垂直な方向を横方向とする。
【００４８】
図４Ｂに示すように、容器本体２ａは、青果物を出し入れするための開口２１ａを有する。蓋３ａを開ける場合は、図４Ｂに示すように、止め部材５ａを手前に持ち上げて引っ掛け部２３ａとの係合状態を解除し、蓋３ａを持ち上げる。これにより、容器本体２ａの開口２１ａを開放することができ、開放された開口２１ａから容器本体２ａ内に青果物等の収納物を収納することができる。また、開口２１ａから容器本体２ａ内の青果物を取り出すことができる。このように、蓋３ａは、容器本体２ａの開口２１ａを密閉可能とするとともに、開口２１ａを開放するものである。
【００４９】
図４Ｃに示すように、蓋３ａの奥側には爪３２ａが設けられている。また、容器本体２ａの奥側には係止部２２ａが設けられている。爪３２ａと係止部２２ａとは係合されており、これにより、蓋３ａの開閉時において蓋３ａと容器本体２ａとは係合状態となっている。なお、爪３２ａと係止部２２ａとは、爪３２ａを係止部２２ａに引っ掛けた構造となっているので、簡単に取り外しすることができる。従って、容器本体２ａに青果物を収納する際又は容器本体２ａから青果物を取り出す際において、爪３２ａと係止部２２ａとの係合を解除し、蓋３ａを容器本体２ａから完全に離すこともできる。
【００５０】
このように、本実施形態に係る第１保鮮容器１ａは、容器本体２ａと蓋３ａとによって密閉されるものである。従って、第１保鮮容器１ａ内の青果物が乾燥することを防止することができる。これにより、第１保鮮容器に収納する青果物等について適度な保鮮性を保つことができる。このとき、図４Ｂ及び図４Ｃに示すように、容器本体２ａと蓋３ａとの当接部分に、樹脂からなるシール部材６ａを設けることにより、さらに、第１保鮮容器１ａの密閉性（シール性）を向上させることができる。
【００５１】
図４Ａ及び図４Ｂに示すように、本実施形態に係る第１保鮮容器１ａは、さらに、容器本体２ａの底面に、第１保鮮容器１ａの奥側方向に延び、かつ、下方に突出する突出部７ａが設けられている。突出部７ａは、いずれも第１保鮮容器１ａの手前側から奥側に向かって直線状に延びる第１突出部７１ａと第２突出部７２ａとからなる。第１突出部７１ａと第２突出部７２ａとは横方向において略平行となるように配置されている。
【００５２】
また、図４Ｂに示すように、容器本体２ａの底面には、第１突出部７１ａの手前側端部と第２突出部７２ａの手前側端部とを繋ぐストッパ７３ａが設けられている。後述するように、ストッパ７３ａは、冷蔵室１１０内に第１保鮮容器１ａを収納するときに、第１保鮮容器１ａの奥側方向への進行を停止させる機能を有する。
【００５３】
なお、第１突出部７１ａ、第２突出部７２ａ及びストッパ７３ａは、樹脂性の薄板状部材で構成することができる。
【００５４】
次に、本発明の実施形態１に係る冷蔵庫１００において、第１保鮮容器１ａ及び第２保鮮容器１ｂを冷蔵室１１０の第２貯蔵室１１３に収納する場合について、図５Ａ及び図５Ｂを参照して説明する。図５Ａは、本発明の実施形態１に係る冷蔵庫において、冷蔵室（第２貯蔵室）に保鮮容器を収納したときの平面図である。図５Ｂは、図５Ａに示す冷蔵室をＹ−Ｙ’線に沿って切った断面図であって、本発明の実施形態１に係る冷蔵庫において、冷蔵室（第２貯蔵室）と保鮮容器とを側方から見た断面図である。
【００５５】
以下、保鮮容器を第２貯蔵室１１３に収納する場合について説明するが、第１保鮮容器１ａと第２保鮮容器１ｂとは、いずれも収納する動作については同じであるので、以降、基本的には、左側に位置する第１保鮮容器１ａの収納動作についてのみ説明する。
【００５６】
第１保鮮容器１ａを冷蔵室１１０の第２貯蔵室１１３に収納する場合、第２貯蔵室１１３の手前側から奥側に向かうように第１保鮮容器１ａを第２貯蔵室１１３に挿入する。このとき、第１保鮮容器１ａは、第１位置決定部１５０ａによって第２貯蔵室１１３内における水平位置が決定される。
【００５７】
すなわち、まず、第１保鮮容器１ａは、手前側の第１ガイド部１５１ａ、１５２ａによって、おおよその水平方向の位置が矯正される。これは、奥側に位置する第２ガイド部１５３ａ、１５４ａに沿うようにするためである。
【００５８】
例えば、第１保鮮容器１ａが、奥壁に対して傾いて挿入された場合、傾きに応じて第１保鮮容器１ａの第１突出部７１ａ又は第２突出部７１ｂが、第１ガイド部１５１ａ又は第１ガイド部１５２ａに当接する。そして、引き続き第１保鮮容器１ａの進行を進めると、当接した第１突出部７１ａ又は第２突出部７２ａは、第１ガイド部１５１ａ又は第１ガイド部１５２ａに沿いながらその向きを変える。これにより、第１保鮮容器１ａの水平方向の位置が矯正されていく。なお、第１保鮮容器１ａが挿入時において既に所定の水平方向の位置となっている場合は、第１突出部７１ａ又は第２突出部７２ａが第１ガイド部１５１ａ、１５２ａに当接しないこともある。
【００５９】
次に、第１保鮮容器１ａをさらに奥側に挿入すると、第２ガイド部１５３ａ、１５４ａによって、第１保鮮容器１ａの水平方向の位置が所定の位置となるように矯正され、その位置が決定される。これにより、第１保鮮容器１ａの前面部分は、冷蔵室１１０の前面開口部分と平行になる。
【００６０】
さらに、第１保鮮容器１ａの進行を進めると、最終的に、図５Ａ及び図５Ｂに示すように、第１保鮮容器１ａのストッパ７３ａが第１ガイド部１５１ａ、１５２ａの手前側端部に当接する。このようにストッパ７３ａは、第１保鮮容器１ａの進行を停止させる機能を有し、ストッパ７３によって第１保鮮容器１ａの奥側方向の位置が規制される。
【００６１】
以上の収納動作においては、第１保鮮容器１ａにおける左右の第１突出部７１ａと第２突出部７２ｂとは、第１ガイド部１５１ａ、１５２ａ及び第２ガイド部１５３ａ、１５４ａを挟むようにして、冷蔵室１１０の奥壁に向かって進行する。
【００６２】
このように、本実施形態においては、第１位置決定部１５０ａを構成する第１ガイド部１５１ａ、１５２ａと第２ガイド部１５３ａ、１５４ａとによって、第１保鮮容器１ａの水平方向の姿勢が２段階に矯正されながら、第２貯蔵室１１３の奥側に進行する。そして、図５Ａ及び図５Ｂに示すように、最終的には水平方向において所定の位置となるように第１保鮮容器１ａが第２貯蔵室１１３に収納される。
【００６３】
以上のとおり、本発明の実施形態１に係る冷蔵庫１００は、密閉可能な第１保鮮容器１ａ及び第２保鮮容器１ｂを冷蔵室１１０に配置したものである。これにより、第１保鮮容器１ａ及び第２保鮮容器１ｂに収納する青果物等について適度な保鮮性を保つことができる。
【００６４】
また、本発明の実施形態１に係る冷蔵庫１００は、冷蔵室１１０内に設けられた第１位置決定部１５０ａ及び第２位置決定部１５０ｂによって、第１保鮮容器１ａ及び第２保鮮容器１ｂの冷蔵室１１０における水平方向の位置が決定される。これにより、冷蔵庫１００の使用者は第１保鮮容器１ａ及び第２保鮮容器１ｂを冷蔵室１１０に容易に収納することができる。
【００６５】
しかも、第１保鮮容器１ａ及び第２保鮮容器１ｂとは、冷蔵庫１００の使用者の目線の位置にある第２貯蔵室１１３に収納されている。従って、冷蔵庫の使用者は、第１保鮮容器１ａ及び第２保鮮容器１ｂを容易に第２貯蔵室１１３から引き出したり第２貯蔵室１１３に収納したりすることができる。
【００６６】
さらに、第１保鮮容器１ａ及び第２保鮮容器１ｂは、冷蔵室１１０に載置される簡単な構造であって冷蔵室１１０に固着されるような機構を有していないので、冷蔵庫１００から容易に着脱することができる。このため、第１保鮮容器１ａ及び第２保鮮容器１ｂそのものを容易に冷蔵庫１００から出したり冷蔵庫１００に戻したりすることができる。従って、第１保鮮容器１ａ及び第２保鮮容器１ｂを冷蔵庫１００の庫外でも使用することができるので、使用者にとっての利便性が高まる。
【００６７】
（実施形態２）
次に、本発明の実施形態２に係る冷蔵庫について図面を参照しながら説明する。
【００６８】
本発明の実施形態２に係る冷蔵庫は、基本的な構造については、本発明の実施形態１に係る冷蔵庫と同様である。本発明の実施形態２に係る冷蔵庫が、本発明の実施形態１に係る冷蔵庫と異なる点は、保鮮容器の構成である。保鮮容器以外の構成については、本発明の実施形態１に係る冷蔵庫と同じであるので、以下、本発明の実施形態２に係る冷蔵庫については、保鮮容器を中心に説明する。
【００６９】
図６Ａは、本発明の実施形態２に係る冷蔵庫の冷蔵室に載置される保鮮容器の外観斜視図である。図６Ｂは、図６Ａに示す本発明の実施形態２に係る冷蔵庫の冷蔵室に載置される保鮮容器の分解斜視図である。
【００７０】
図６Ａ及び図６Ｂに示すように、本発明の実施形態２に係る保鮮容器１０は、野菜又は果物等の青果物を保鮮するための保鮮容器であって、容器本体２０と第１蓋３０とを備える。
【００７１】
容器本体２０は、青果物等の収納物を収納するための樹脂成形容器であって、収納物を出し入れするための開口２１０を有する。
【００７２】
第１蓋３０は、容器本体２０の開口２１０を密閉可能とするものである。第１蓋３０には、図６Ｂに示すように、容器本体２０の内方に連通する孔３１０が設けられている。孔３１０は、容器本体２０内外における気体の通り道であり、容器本体２０内の水分等の気体を容器本体２０外に排出する機能を有する。また、孔３１０は、容器本体２０外の気体を容器本体２０内に取り込む機能も有する。
【００７３】
第１蓋３０には、第２蓋４０が取り付けられている。第２蓋４０は、第１蓋３０の孔３１０を密閉可能に開閉するものである。第２蓋４０を開閉することにより、孔３１０を介して容器本体２０内外における気体の出入りを調整することができる。
【００７４】
第１蓋３０の一方側端には、止め部材５０が取り付けられている。容器本体２０の手前側には引っ掛け部２３０が設けられている。止め部材５０を引っ掛け部２３０に係合させることにより容器本体２０と第１蓋３０とがロックされた状態で密閉される。
【００７５】
第１蓋３０の奥側には爪３２０が設けられている。また、容器本体２０の奥側には係止穴２２０が設けられている。爪３２０と係止穴２２０とは係合されている。
【００７６】
以上のように構成された保鮮容器１０において、第１蓋３０を開ける場合は、止め部材５０を手前に持ち上げて引っ掛け部２３０との係合状態を解除し、第１蓋３０を持ち上げる。これにより、容器本体２０の開口２１０を開放することができるので、開口２１０から容器本体２０内に青果物を収納することができる。また、開口２１０から容器本体２０内の青果物を取り出すことができる。
【００７７】
例えば、保鮮容器１０に青果物等の収納物を収納する場合、まず、開口２１０から容器本体２０内に青果物を入れる。そして、第１蓋３０の爪３２０を容器本体２０の係止穴２２０に係合させ、第１蓋３０に取り付けられた止め部材５０を容器本体２０の引っ掛け部２３０に係合させる。これにより、容器本体２０を密閉することができる。このとき、図６Ｂに示すように、容器本体２０と第１蓋３０との当接部分に、樹脂からなるシール部材６０を設けることによって、保鮮容器１０の密閉性（シール性）を向上させることができる。
【００７８】
また、保鮮容器１０から青果物等の収納物を取り出す場合、止め部材５０を手前に持ち上げて引っ掛け部２３０との係合状態を解除し、第１蓋３０を持ち上げる。これにより、容器本体２０の開口２１０を開放することができるので、開口２１０から容器本体２０内の収納物を取り出すことができる。
【００７９】
なお、第１蓋３０の開閉時において、爪３２０を係止穴２２０から外し、第１蓋３０を容器本体２０から完全に離して、収納物を収納したり取り出したりしてもよい。
【００８０】
また、容器本体２０には、容器本体２０を掴むための把手部２４０が設けられている。把手部２４０は、保鮮容器１０を冷蔵室１１０に収納した場合に、保鮮容器１０を引き出す際に使用される。把手部２４０は、下方に開放した開口を有する凹部構造となっている。これにより、下方から開口に手を差し込むことができるので、冷蔵室１１０から保鮮容器１０を引き出す際に、手によって保鮮容器１０を下方から支えることができる。従って、保鮮容器１０の引き出し過ぎによって保鮮容器１０が冷蔵室１１０から飛び出して勢いよく落下してしまうことを抑制することができる。
【００８１】
なお、以降、本実施形態では、保鮮容器１０の中心に対して把手部２４０が設けられる位置の方向を手前側と称し、保鮮容器１０の中心に対して手前側とは反対側の方向を奥側と称する。また、奥側と手前側を結ぶ直線方向を縦方向とし、縦方向と垂直な方向を横方向とする。
【００８２】
さらに、本発明の実施形態２に係る保鮮容器１０は、図６Ａ及び図６Ｂに示すように、本発明の実施形態１に係る第１保鮮容器１ａ及び第２保鮮容器１ｂと同様に、容器本体２０の底面に、保鮮容器１０の奥側方向に延び、かつ、下方に突出する突出部７が設けられている。突出部７は、いずれも保鮮容器１０の手前側から奥側に向かって直線状に延びる第１突出部７１と第２突出部７２とからなる。第１突出部７１と第２突出部７２とは横方向において略平行となるように配置されている。
【００８３】
また、図６Ａ及び図６Ｂに示すように、容器本体２０の底面には、第１突出部７１の手前側端部と第２突出部７２の手前側端部とを繋ぐストッパ７３が設けられている。ストッパ７３は、冷蔵室１１０内に保鮮容器１０を収納するときに、保鮮容器１０の奥側方向の進行を停止させる機能を有する。
【００８４】
なお、第１突出部７１、第２突出部７２及びストッパ７３は、樹脂性の薄板状部材で構成することができる。
【００８５】
次に、第１蓋３０とその孔３１０について、図７を用いてさらに詳述する。図７は、図６Ｂの破線で囲まれた領域Ｂの拡大図であり、本発明の実施形態２に係る冷蔵庫に関する保鮮容器における第１蓋の要部拡大斜視図である。
【００８６】
図７に示すように、第１蓋３０には、平面視したときに横長の略矩形状をなす凹部３３０が形成されている。凹部３３０は、縦方向に二分されており、奥側の第１凹部３３１と手前側の第２凹部３３２とからなる。第２凹部３３２は、その深さが第１凹部３３１の深さよりも深くなるように形成されている。
【００８７】
第１凹部３３１には、第１蓋３０を貫通して形成される通気用の孔３１０が設けられている。孔３１０は、平面視したときに横長の略矩形状をなしている。また、第２凹部３３２の横方向の両側壁には、略円柱凸部で構成される軸３４１、３４２が設けられている。以上のように構成される第１蓋３０は、所定の樹脂を用いて射出成形等によって形成することができる。
【００８８】
次に、第２蓋４０について、図８Ａ及び図８Ｂを用いてさらに詳述する。図８Ａは、本発明の実施形態２に係る冷蔵庫に関する保鮮容器における第２蓋を表側の斜め方向から見た外観斜視図である。図８Ｂは、図８Ａに示す第２蓋を裏側の斜め方向から見た外観斜視図である。
【００８９】
図８Ａに示すように、第２蓋４０は、第１蓋３０の凹部３３０全体と略同形状の板状部材４１０で構成されている。第２蓋４０の板状部材４１０の両側部分には、第１蓋３０の第２凹部３３２に設けられた軸３４１、３４２に軸支される軸受部４２１、４２２が設けられている。このように第１蓋３０の軸３４１、３４２と第２蓋４０の軸受部４２１、４２２とによって一軸回転支持機構が構成されている。すなわち、ヒンジ構造となっている。
【００９０】
また、図８Ｂに示すように、第２蓋４０の裏面には、第１蓋３０の孔３１０と嵌合する凸部４３０が設けられている。第２蓋４０の凸部４３０は、所定厚さ及び所定高さの壁を環状に形成したものである。第２蓋４０の凸部４３０が第１蓋３０の孔３１０に嵌合されることにより、第１蓋３０の孔３１０を密閉することができる。
【００９１】
このとき、凸部４３０を環状の壁によって形成している。すなわち、壁の内側に空間部分を形成しているので、凸部４３０に、保鮮容器１０の縦方向（第２蓋の幅方向）に対して所定の弾性力を持たせることができる。このように、凸部４３０に弾性力を持たせることにより、凸部４３０を孔３１０に容易に嵌合することができるとともに、凸部４３０を孔３１０から容易に外すこともできる。しかも、弾性力によって孔３１０と凸部４３０の密閉性（シール性）を向上させることもできる。なお、凸部４３０は環状の壁となるように形成したが、環状の壁とはせずに、壁の内部を壁と同じ材料で充填した構成としても構わない。この場合、凸部の先端外周部分は、孔３１０と嵌合しやすいように面取りをすることが好ましい。
【００９２】
以上の第２蓋４０は、所定の樹脂を用いて射出成形等により形成することができる。なお、第２蓋４０の凸部４３０の側壁外周部分にシール部材（不図示）を設けて、孔３１０と凸部４３０との間にシール部材が位置するように構成することにより、孔３１０と凸部４３０の密閉性をさらに高めることができる。
【００９３】
次に、第２蓋４０が開閉する様子について、図９Ａ及び図９Ｂを用いて説明する。図９Ａは、第２蓋が閉じている状態を示した、本発明の実施形態２に係る冷蔵庫に関する保鮮容器の要部拡大断面図である。図９Ｂは、第２蓋が開いている状態を示した、本発明の実施形態２に係る冷蔵庫に関する保鮮容器の要部拡大断面図である。なお、図９Ｂは、図６Ａに示されるＺ−Ｚ’線に沿って切断した断面図である。
【００９４】
図９Ａに示すように、第２蓋４０が閉じている場合（閉状態）は、第２蓋４０の凸部４３０が第１蓋３０の孔３１０に嵌合している。
【００９５】
これにより、孔３１０の密閉状態を維持して保鮮容器１０全体を完全に密閉状態にすることができるので、保鮮容器１０内の乾燥を防止して保鮮容器１０内の湿度を一定以上に維持することができる。
【００９６】
なお、図９Ａに示す第２蓋４０の閉状態においては、第１蓋３０の表面と第２蓋４０の表面とは略同一平面となるように、第１蓋３０と第２蓋４０とは平らに構成されている。
【００９７】
次に、第２蓋４０を開ける場合は、第２蓋４０の凸部４３０が設けられている側とは反対方向側の部分である押し込み部４４０を上方から押す。これにより、図９Ｂに示すように、第１蓋３０の軸３４１（３４２）と第２蓋４０の軸受部４２１（４２２）との一軸回転支持機構によって、押し込み部４４０は下降して第２凹部３３２に押し込まれるとともに、押し込み部４４０とは反対側の部分である上昇部４５０（凸部４３０が設けられている側の部分）は上昇して第１蓋３０の表面から飛び出した状態となる。
【００９８】
これにより、第２蓋４０が開状態となる。すなわち、第２蓋４０の凸部４３０が孔３１０から外れて第１蓋３０の孔３１０が開放され、容器本体２０内外の気体が孔３１０を介して通ることができる状態となる。
【００９９】
このように、第２蓋４０を開状態とすることにより、孔３１０を介して保鮮容器１０内の水分を保鮮容器１０外に排出することができる。また、青果物自身が発生する水分を保鮮容器１０外に排出することもできる。従って、青果物が水分によって腐ってしまうことを防止することができる。
【０１００】
また、第２蓋４０を開状態とすることにより、孔３１０を介して保鮮容器１０内外の気体を通すことができるので、保鮮容器１０内の高くなった湿度を低下させることができる。また、保鮮容器内外の温度差がある場合は、孔３１０を介して保鮮容器１０内外の気体を通すことによって保鮮容器１０内外の温度差を小さくすることができる。これにより、保鮮容器１０内に結露が発生することを抑制することができる。
【０１０１】
さらに、第２蓋４０を開状態とすることにより、孔３１０を介して保鮮容器１０外の二酸化炭素を保鮮容器１０内に取り込むこともできる。これにより、青果物の鮮度を保ち青果物の長期貯蔵を可能とすることもできる。
【０１０２】
なお、第２蓋４０を開状態から閉状態とすることにより、保鮮容器１０を密閉することができる。これにより、保鮮容器１０内の乾燥を防止することができる。このように、第２蓋４０を開状態から閉状態とする場合は、図９Ｂに示すように、飛び出した第２蓋４０の上昇部４５０の上面部分を上方から押すことにより、図９Ａに示すように第２蓋４０を閉状態とすることができる。
【０１０３】
以上、本実施形態において、第２蓋４０の開状態の維持は、第１蓋３０の軸３４１、３４２と、第２蓋４０の軸受部４２１、４２２との摩擦によって保たれている。すなわち、第２蓋４０の開状態を維持するための開状態維持手段としては、一軸回転支持構造における摩擦を用いたものである。なお、第２蓋４０の開状態における第２蓋の開き角度は約３０度としている。第２蓋４０の開状態が維持されているときの開き角度は９０度以下であることが好ましい。また、第２蓋４０の開状態維持手段としては、摩擦以外の手段によっても実現することができる。例えば、掛け具等の掛止部を用いたラッチ構造によって開状態維持手段を構成することもできる。
【０１０４】
また、本実施形態では、図６Ａ及び図６Ｂに示すように、容器本体２０の奥側の壁である奥壁と容器本体２０の側壁とを、外側に膨らんだ所定の曲率半径を有する曲面によって繋げた構造とした。これにより、保鮮容器１０を冷蔵室１１０に収納する場合、保鮮容器１０を容易に収納することができる。また、保鮮容器１０を冷蔵室１１０から取り出す際も、保鮮容器１０を容易に取り出すことができる。なお、曲面以外に平面で繋げた構造としても構わない。但し、保鮮容器１０の収納量を確保するためには曲面とすることが好ましい。
【０１０５】
以上のように構成される本発明の実施形態２に係る保鮮容器１０については、本発明の実施形態１と同様にして、冷蔵庫の冷蔵室に収納される。この場合、保鮮容器として、２つの保鮮容器１０ａ、１０ｂを用意し、図２に示される第１保鮮容器１ａ及び第２保鮮容器１ｂと同様にして、保鮮容器１０ａ、１０ｂを冷蔵室１１０に収納する。
【０１０６】
本発明の実施形態２に係る保鮮容器１０ａ、１０ｂは、本発明の実施形態１に係る第１保鮮容器１ａ及び第２保鮮容器１ｂと同様に、容器本体２０の底面に、第１突出部７１と第２突出部７２とストッパ７３とからなる突出部７が設けられている。
【０１０７】
従って、図５Ａ及び図５Ｂを用いて説明したように、本発明の実施形態２に係る冷蔵庫における収納動作は、本発明の実施形態１に係る冷蔵庫における収納動作と同様である。すなわち、本実施形態においても、第１位置決定部１５０ａを構成する第１ガイド部１５１ａ、１５２ａと第２ガイド部１５３ａ、１５４ａとによって、保鮮容器１０の水平方向の姿勢が２段階に矯正されながら、第２貯蔵室１１３の奥側に進行する。そして、最終的には水平方向において所定の位置となるように保鮮容器１０が第２貯蔵室１１３に収納される。
【０１０８】
以上のように構成される本発明の実施形態２に係る冷蔵庫は、上述した本発明の実施形態１に係る冷蔵庫１００の効果と同様の効果を得ることができる。
【０１０９】
まず、密閉可能な保鮮容器１０ａ、１０ａを冷蔵室１１０に配置したものであるので、保鮮容器１０ａ、１０ｂに収納する青果物等について適度な保鮮性を保つことができる。
【０１１０】
また、冷蔵室１１０内に設けられた第１位置決定部１５０ａ及び第２位置決定部１５０ｂによって保鮮容器１０ａ、１０ｂの冷蔵室１１０における水平方向の位置が決定される。これにより、冷蔵庫１００の使用者は保鮮容器１０ａ、１０ｂを冷蔵室１１０に容易に収納することができる。
【０１１１】
また、保鮮容器１０ａ、１０ｂは、冷蔵庫１００の使用者の目線の位置にある第２貯蔵室１１３に収納されているので、使用者は保鮮容器１０ａ、１０ｂを容易に第２貯蔵室１１３から引き出したり第２貯蔵室１１３に収納したりすることができる。
【０１１２】
また、保鮮容器１０ａ、１０ｂは、冷蔵庫１００と容易に着脱可能であるので、保鮮容器１０ａ、１０ｂそのものを容易に冷蔵庫１００から出したり冷蔵庫１００に戻したりすることができる。従って、保鮮容器１０ａ、１０ｂを冷蔵庫１００の庫外でも使用することができるので、使用者にとっての利便性が高まる。
【０１１３】
さらに、本発明の実施形態２に係る冷蔵庫においては、本発明の実施形態１に係る冷蔵庫の効果に加えて、次のような効果も得ることができる。
【０１１４】
冷蔵庫１００の冷蔵室１１０に密閉容器を収納すると密閉容器内に結露が生じやすい。しかし、冷蔵庫１００の冷蔵室１１０に収納する密閉容器として、本実施形態に係る保鮮容器１０ａ、１０ｂを用いることによってこの問題を解消することができる。すなわち、本実施形態に係る保鮮容器１０ａ、１０ｂを用いてそれぞれの第２蓋４０を開状態とすることにより、孔３１０を介して保鮮容器１０ａ、１０ｂ内の水分を排出することができ、また、保鮮容器１０ａ、１０ｂ内の結露の発生を抑制することができる。
【０１１５】
さらに、冷蔵庫１００の冷蔵室１１０は、庫内奥側に冷気が通る構造となっているので、庫内奥側の方が庫内手前側よりも庫内温度が低い。従って、冷蔵室１１０に密閉容器を収納すると密閉容器内の奥側部分に結露が生じやすい。しかし、本実施形態に係る保鮮容器１０ａ、１０ｂは、孔３１０を開閉するための第２蓋４０が奥側に設けられているので、保鮮容器１０ａ、１０ｂ内の奥側に発生しうる結露を効果的に抑制することができる。
【０１１６】
また、本実施形態に係る保鮮容器１０ａ、１０ｂでは、第２蓋４０の押し込み部４４０は、当該第２蓋４０の手前側部分としている。これにより、保鮮容器１０ａ、１０ｂの容器全体を第２貯蔵室１１３から取り出すことなく、押し込み部４４０が押せる状態にまで取り出すことにより、第２蓋４０の開閉を容易に行うことができる。
【０１１７】
しかも、第１蓋３０の上面と第２貯蔵室１１３内の上面（トレイ下面）との間に手を入れる隙間さえあれば、保鮮容器１０ａ、１０ｂを移動させることなく第２蓋４０を開閉することができる。
【０１１８】
このように、第２蓋４０の押し込み部４４０を手前側に設けることにより、第２蓋４０を開閉するためにだけに保鮮容器１０ａ、１０ｂの容器全体を冷蔵室１１０から取り出す必要がなくなる。従って、保鮮容器１０ａ、１０ｂの引き出し過ぎによる保鮮容器１０の落下を防止することができる。
【０１１９】
すなわち、本実施形態では、結露の発生を防止するために第２蓋４０は奥側に設け、かつ、第２蓋４０の開閉を容易にかつ安全に行うために押し込み部４４０は手前側に設けた構造としている。
【０１２０】
さらに、保鮮容器１０ａ、１０ｂの把手部２４０は手を下方から入れることができる凹部構造としているので、冷蔵室１１０から保鮮容器１０ａ、１０ｂを引き出す際に、手によって保鮮容器１０ａ、１０ｂを下方から支えることができる。従って、保鮮容器１０ａ、１０ｂの引き出し過ぎによって保鮮容器１０ａ、１０ｂが勢いよく落下することを抑制することができる。
【０１２１】
（変形例）
以上、本発明に係る冷蔵庫について、実施形態１、２に基づいて説明したが、本発明はこれらの実施形態に限定されるものではない。以下、本発明に係る冷蔵庫及びこれに用いられる保鮮容器の変形例について説明する。
【０１２２】
まず、上述の本実施形態に係る保鮮容器１０、１０ａ、１０ｂ及び冷蔵庫１００では、保鮮容器内の収納物としては青果物として説明したが、青果物に限らない。収納物としては、青果物以外のその他の生鮮食品でもよく、さらには、保鮮容器内に発生した水分によってダメージを受ける物であれば何でも構わない。本発明に係る保鮮容器及び冷蔵庫は、水分によってダメージを受ける物について、上述した効果を奏するものである。
【０１２３】
また、本実施形態に係る冷蔵庫１００では、冷蔵室１１０の第２貯蔵室１１３には、同じ大きさ及び同じ形状の２つの保鮮容器を収納するように構成したが、いずれか一方のみの保鮮容器を収納するように構成しても構わない。さらに、１つの保鮮容器とする場合、保鮮容器の大きさを大きくして第２貯蔵室１１３と略同等の大きさの保鮮容器としても構わない。
【０１２４】
また、本実施形態のように同じ保鮮容器を複数個用いる場合は、複数の保鮮容器に対応する複数の位置決定部も全て同じ構成とすることが好ましい。これにより、各保鮮容器はどの位置決定部に対しても適用することができ、冷蔵庫の使用者にとっての利便性が高まる。
【０１２５】
また、同じ大きさの保鮮容器ではなく、異なる大きさの２つの保鮮容器を収納するような構成としても構わない。例えば、高さは同じで、第１保鮮容器の水平方向寸法と第２保鮮容器の水平方向寸法とを異なるように構成することができる。
【０１２６】
さらには、３つ以上の保鮮容器を収納するような構成としても構わない。この場合、保鮮容器の大きさは同じとすることもできるし、異なる大きさとすることもできる。
【０１２７】
このように、保鮮容器を２個又は３個以上の複数個を冷蔵室１１０に配置することにより、冷蔵室の扉が十分に開けられないような場合でも、保鮮容器を取り出すことができるので、冷蔵室を有効に利用することができる。すなわち、従来の冷蔵室の第２貯蔵室である最下段部分は引き出し式であったため、冷蔵室の扉が左右方向に十分に開けることができないような状況があった。この場合、その最下段部分を引き出すことができず、冷蔵室を有効に利用することができなかった。しかし、本実施形態に係る保鮮容器を複数個用いることにより、この問題を解消することができ、上述のように冷蔵室のスペースを有効に利用することができる。また、複数個の保鮮容器を用いることにより、冷蔵庫の使用者としては、収納物の種類又は収納量に応じて保鮮容器を選択適宜することができる。
【０１２８】
しかも、異なる水平方向寸法等、大きさの異なる保鮮容器を用いることにより、冷蔵庫の種類によって冷蔵室の大きさが異なる場合であっても、大きさの異なる保鮮容器を適宜組み合わせることにより、個々の冷蔵室の大きさに適した保鮮容器の組み合わせを実現することができる。従って、冷蔵室のスペースを有効活用することができる。しかも、大きさの異なる保鮮容器を用いることにより、収納物の種類又は収納量に応じて、保鮮容器を選択することもできるので、保鮮容器ごとに通気状態を調節することもできる。また、水平方向寸法の異なる複数の保鮮容器を用意することにより、製造メーカーとしては、冷蔵室の幅寸法が異なる複数の機種の冷蔵庫第に対して、複数の保鮮容器を組み合わせて対応することができ、保鮮容器の標準化を図ることができる。
【０１２９】
なお、以上のように大きさの異なる複数の保鮮容器を用いる場合は、各保鮮容器のサイズに対応するようにして、冷蔵室の底面に位置決定部を設ける必要がある。
【０１３０】
次に、本発明の実施形態２に係る保鮮容器１０では、第１蓋３０に設けた孔３１０は１つの孔としたが、複数の孔を設けることもできる。これにより、孔の開口面積を調節できるような孔開口面積調節手段を構成することができる。
【０１３１】
例えば、孔を複数個にする場合、図７に示した孔３１０を横方向に分割して複数個の孔とすることもできるし、図７に示した孔３１０を縦方向に複数個を設けることもできる。この場合、孔に応じて第２蓋も複数個設けることが好ましい。
【０１３２】
また、図７に示した１つの孔３１０に対して複数の第２蓋を設け、複数の第２蓋の開閉状態を調節することにより、孔３１０の面積を調節できるような構成とすることもできる。さらには、複数の孔に対して１つの第２蓋が対応するようにして構成し、かつ、その組み合わせを複数組設けるような構成であっても構わない。この場合も複数の第２蓋の開閉状態を調節することにより、孔の開口面積を調節することができる。
【０１３３】
このように孔開口面積調節手段によって、孔の開口面積を調節することにより、収納物の種類又は収納物の収納量に応じて通気状態を調整することができる。
【０１３４】
また、本発明の実施形態２に係る保鮮容器１０では、第２蓋４０の開閉は一軸回転支持機構により行う構造としたが、これに限るものではない。例えば、第２蓋をスライド機構により開閉するように構成しても構わない。スライド機構とすることにより、本実施形態のように上昇部４５０が上昇する構成ではなくなるので、保鮮容器１０の上方部分の隙間が小さい場合でも、第２蓋を容易に開閉することができる。
【０１３５】
但し、第２蓋を閉状態としたときの密閉性は高いことが好ましい。この点に関し、本実施形態では、第２蓋４０の凸部４３０と第１蓋３０の孔３１０との嵌合状態のみによって密閉性が決定される。従って、第２蓋４０の凸部４３０によって第１蓋３０の孔３１０を完全に密閉することにより保鮮容器１０として高い密閉性を維持することができる。
【０１３６】
また、本実施形態に係る保鮮容器１０では、第２蓋４０の開状態の開き角度は３０度としたが、これに限るものではない。例えば、第２蓋４０の開状態の開き角度は９０度以下の範囲で適宜選択することもできる。また、第２蓋４０の開状態の開き角度を複数段階に調節できるような構造とすることもできる。このように第２蓋４０の開き角度を調節することにより、通気状態を調整することができる。
【０１３７】
なお、本実施形態では、冷蔵室１１０の第２貯蔵室１１３に給水タンクを設けたが、給水タンクはなくても構わない。この場合、第２貯蔵室１１３のスペースを有効活用できるように、第２貯蔵室１１３の水平方向寸法に合わせて、第１保鮮容器１ａ及び第２保鮮容器１ｂの幅寸法を適宜大きくなすればよい。
【０１３８】
また、本実施形態において、冷蔵庫の各貯蔵室は、直接冷却方式であっても構わないし、間接冷却方式であっても構わない。
【０１３９】
その他、各実施形態に対して当業者が思いつく各種変形を施して得られる形態や、本発明の趣旨を逸脱しない範囲で各実施形態における構成要素及び機能を任意に組み合わせることで実現される形態も本発明に含まれる。
【産業上の利用可能性】
【０１４０】
本発明に係る冷蔵庫は、青果物等を保鮮するための保鮮容器を収納する冷蔵庫に有用である。
【符号の説明】
【０１４１】
１ａ  第１保鮮容器
１ｂ  第２保鮮容器
１０、１０ａ、１０ｂ  保鮮容器
２ａ、２０  容器本体
３ａ  蓋
５ａ、５０  止め部材
６ａ、６０  シール部材
２１ａ、２１０  開口
２２ａ  係止部
２３ａ、２３０  引っ掛け部
２４ａ、２４０  把手部
３０  第１蓋
４０  第２蓋
３２ａ、３２０  爪
１００、１０００  冷蔵庫
１１０、１１００  冷蔵室
１１１、１２１、１３１、１２１０  扉
１１２  第１貯蔵室
１１３  第２貯蔵室
１１４  トレイ
１１５  底面
１１６  奥壁
１２０、１２００  野菜室
１３０、１３００  冷凍室
１５０ａ  第１位置決定部
１５０ｂ  第２位置決定部
１５１ａ、１５１ｂ、１５２ａ、１５２ｂ  第１ガイド部
１５３ａ、１５３ｂ、１５４ａ、１５４ｂ  第２ガイド部
２２０  係止穴
３１０  孔
３３０  凹部
３３１  第１凹部
３３２  第２凹部
３４１、３４２  軸
４１０  板状部材
４２１、４２２  軸受部
４３０  凸部
４４０  押し込み部
４５０  上昇部
【図１】
2011179726.tif 000003
【図２】
2011179726.tif 000004
【図３Ａ】
2011179726.tif 000005
【図３Ｂ】
2011179726.tif 000006
【図３Ｃ】
2011179726.tif 000007
【図４Ａ】
2011179726.tif 000008
【図４Ｂ】
2011179726.tif 000009
【図４Ｃ】
2011179726.tif 000010
【図５Ａ】
2011179726.tif 000011
【図５Ｂ】
2011179726.tif 000012
【図６Ａ】
2011179726.tif 000013
【図６Ｂ】
2011179726.tif 000014
【図７】
2011179726.tif 000015
【図８Ａ】
2011179726.tif 000016
【図８Ｂ】
2011179726.tif 000017
【図９Ａ】
2011179726.tif 000018
【図９Ｂ】
2011179726.tif 000019
【図１０】
2011179726.tif 000020